(57)【特許請求の範囲】
【請求項１】
上壁に係入穴およびその内部に収納空間を有する合計４個の台座と、その下端部が前記係入穴をそれぞれ貫通し、かつ前記収納空間を形成する底壁内面に支持された状態で前記各台座にそれぞれ垂設された合計４本の所定長の支持杆と、これらの支持杆の前記各台座の係入穴からそれぞれ突出する各上端部に一体的に連結された受板部材とから成り、前記受板部材の上面に載置されたオーディオ機器の前後方向の荷重の動き対応して支持することができるように、前記受板部材の中央部の前後及び左右にはそれぞれメネジ孔が形成され、これらのメネジ孔には前記支持杆の前記各上端部がそれぞれ螺合している音響機器用支持具。
【請求項２】
請求項１に於いて、前記受板部材は、その裏面中央部の前後と左右にそれぞれ垂設状態に配設された合計４本の支持杆を有する受板本体と、この受板本体の上壁に固定された支持柱と、この支持柱の上端に固定されたボックス状の音響機器用載置板とから成る音響機器用支持具。
【発明の詳細な説明】
【技術分野】
【０００１】
本発明は音響機器用支持具に関し、特に、「スピーカー」と称される音響機器用支持具に関する。
【背景技術】
【０００２】
普通一般に「インシュレータ」と称される音響機器用支持具は、（ａ）部品同士の組合せの容易性、（ｂ）支持具の設置容易性、（ｃ）支持具の安定性、（ｄ）受板部材に対する微調整の容易性、（ｅ）設置面での振動吸収性、（ｆ）オーディオ機器の振動方向の特質対応性等が発明の課題として要求されている。
【０００３】
例えば特許文献１のインシュレータは、前記（ｆ）の目的を達成するために、「２つの凸曲面が重ね合わされて、中央部が厚く、外周側に向かうにしたがって薄くなるような外形を有する円盤状に形成されている。このインシュレータの側方投影面は楕円形であり、無振動時の基本姿勢において、オーディオ機器との接触部と設置面との接触部とを結ぶ線が楕円の短軸となり、それに直交する軸が楕円の長軸となっている」。
【０００４】
上記構成のインシュレータは、オーディオ機器とその設置面との間に配置されるが、その場合、オーディオ機器の自重により基本姿勢にもどり（自己復元力性）、オーディオ機器は安定して支持されるという利点を有する。
【０００５】
しかしながら、特許文献１のインシュレータは、弾性変位・弾性変位復帰する球体なので、オーディオ機器の底面と床面（設置面）との間の間隔（オーディオ機器の高さ）を十分に得ることができない、という問題点がある。
【０００６】
このような問題点は、特許文献２に記載の容器型インシュレータや特許文献３に記載の容器型と逆円錐形状の載置ブロックとの組み合わせから成るコンパクト型インシュレータにも言える。なお、特許文献４は、音響機器から再生される音像位置の上下感の向上を図るために本発明者が創作したものである。
【先行技術文献】
【特許文献】
【０００７】
【特許文献１】特開２００６−２２９２６８号
【特許文献２】特開２０００−２３２７２号
【特許文献３】実用新案登録第３１０７４６２号
【特許文献４】特開２０１０−４１６４１号
【発明の概要】
【発明が解決しようとする課題】
【０００８】
本願発明の所期の目的は、インシュレータの課題である、上述の（ａ）乃至（ｆ）の目的を満足することができる音響機器用支持具を提案することである。また、特許文献４に記載の発明の目的の一つである、音響機器から再生される音像位置の上下感の向上を図ることである。その他音響機器用支持具の確実な安定性を図ることである。
【課題を解決するための手段】
【０００９】
本発明の音響機器用支持具は、上壁に係入穴およびその内部に収納空間を有する合計４個の台座と、その下端部が前記係入穴をそれぞれ貫通し、かつ前記収納空間を形成する底壁内面に支持された状態で前記各台座にそれぞれ垂設された合計４本の所定長の支持杆と、これらの支持杆の前記各台座の係入穴からそれぞれ突出する各上端部に一体的に連結された受板部材とから成り、前記受板部材の上面に載置されたオーディオ機器の前後方向の荷重の動き対応して支持することができるように、前記受板部材の中央部の前後及び左右にはそれぞれメネジ孔が形成され、これらのメネジ孔には前記支持杆の前記各上端部がそれぞれ螺合していることを特徴とする。
【００１０】
上記構成に於いて、前記受板部材は、その裏面中央部の前後と左右にそれぞれ垂設状態に配設された合計４本の支持杆を有する受板本体と、この受板本体の上壁に固定された支持柱と、この支持柱の上端に固定されたボックス状の音響機器用載置板とから成ることを特徴とする。
【００１１】
なお、台座の係入穴は、メネジ孔、あるいは弾性変位及び弾性復帰する蓋体の貫通係合孔である。また支持杆は、台座の底壁内面の中央支持部に支持される挿入下端部と、この挿入下端部に連設する無ネジ部にさらに連設するオネジ部と、このオネジ部に螺合する上端部側の螺合杆とから成る。さらに、受板部材には、複数本の第２の支持杆が螺着されている。
【発明の効果】
【００１２】
（ａ）部品同士の組合せが容易である。すなわち、台座に対して、支持杆を回しながら、或いは回さないでそのままその挿入下端部を台座の係入穴に差し込むと、台座と支持杆は一体的にかつ回転可能な状態に係合する。また支持具は、台座と支持杆と受板部材か一体的に連結されているので、運搬や設置が容易である。また支持具の支持杆は、その挿入下端部が台座の収納空間を形成する底壁内面に支持された状態で受板部材に一体的に連結されているので、安定した状態で音響機器を支持することができる。さらに、支持具は所定長の支持杆を備えているので、音響機器を所望の高さにて支持することができる。
（ｂ）受板部材にメネジ孔を形成し、一方、支持杆はオネジ杆なので、受板部材を支持杆に連結する際、工具で支持杆を回すと、受板部材は上下方向に微調整可能な状態で簡単に連結する。
（ｃ）付言すると、本発明の支持杆は合計４本であり、ボックス状の音響機器の底面中央部の前後及び左右を支持することができるように受板部材の４つのメネジ孔にそれぞれ螺合しているので、オーディオ機器の前後方向の変位（荷重の動き）という特性に対応して支持することができる。その結果、特許文献４に記載の発明の目的の一つである、音響機器から再生される音像位置の上下感の向上を図ることができる。
（ｄ）請求項２に記載の発明は、音響機器を、さらに所望の高さにて支持することができる。
【図面の簡単な説明】
【００１３】
図１乃至図６は本発明の第１実施例を示す各説明図。図８は本発明の第２実施例を示す説明図。図１０至図１３は本発明の第３実施例を示す各説明図。図１４至図１６は本発明の第４実施例を示す各説明図。図１７至図１９は本発明の第５実施例を示す各説明図。
【図１】第１実施例の斜視図。
【図２】分解斜視図（説明の便宜上、台座と支持杆はそれぞれ一つを示す）。
【図３】台座の係入穴に支持杆の下端部を通す前の一部概略断面説明図。
【図４】台座の係入穴に支持杆の下端部を通した後の一部概略断面説明図。
【図５】図４の状態に於いて、支持杆の上端部に受板部材を螺合連結する一部概略断面説明図。
【図６】受板部材の裏面に合計４本の支持杆を一体的に配設した底面視からの説明図。
【図７】第１実施例の使用態様を示す概略説明図。
【図８】第２実施例の図１と同様の斜視図。
【図９】第２実施例の使用態様を示す概略説明図。
【図１０】第３実施例の一部概略断面説明図。
【図１１】台座の係入穴に支持杆の下端部を通す直前の一部概略断面説明図。
【図１２】蓋体の貫通係合孔が弾性変位した状態の説明図。
【図１３】台座の係入穴に支持杆の下端部を通した後の一部概略断面説明図。
【図１４】第４実施例の一部概略断面説明図。
【図１５】分解状態の説明図。
【図１６】ニ物品で構成されている支持杆の下端部側と上端部側とを螺合連結した一部概略断面説明図。
【図１７】第５実施例の説明図。
【図１８】第５実施例の図５と同様の一部概略断面説明図。
【図１９】第５実施例の図７と同様の概略説明図。
【発明を実施するための最良の形態】
【００１４】
まず、図１乃至図６は本発明の第１実施例を示す各説明図である。そして、図７は第１実施例の使用態様を示す概略説明図である。これらの図中に於いて、Ｘはボックス状の音響機器Ｙを支持する音響機器用支持具である。この音響機器用支持具Ｘは、当業者の間では「オーディオ用インシュレータ」と称されている。ここでのオーディオ用インシュレータは、複数個の台座と、各台座にそれぞれ垂直状態に設けられる複数本の支持杆と、これらの支持杆の上端部に水平状態に固定される音響機器Ｙ用の受板部材とか成る。
【００１５】
付言すると、本発明は、上壁に係入穴およびその内部に収納空間を有する複数個の台座１と、その下端部が前記係入穴をそれぞれ貫通しかつ前記収納空間を形成する底壁内面に支持された状態で各台座に垂設された少なくとも３本以上の所定長の支持杆２と、これらの支持杆の上端部に連結されかつ音響機器の底面を直接又は間接的に支持する受板部材３とから成る。
【００１６】
さて、図１は第１実施例の斜視図で、１は台座、２は所定長の支持杆、３は受板部材である。本実施例では、台座１と支持杆２は一体的に組み合わせられ、前記支持杆２は矩形状の受板部材３の底面中央部の前後及び左右に合計４本固定的に配設されている（図６参照）。
【００１７】
台座１の形状は、四角形、五角形、六角形等の角盤形状のもの又は楕円、円形等の円盤形状のもの、その他任意の形状でも良い。要は、受板部材３はボックス状の音響機器Ｙを載せることができる大きさ、厚さ及び形状であれば良い。
【００１８】
図２は台座１と支持杆２と受板部材３をそれぞれ結合する前の分解斜視図である。説明の便宜上、金属製の台座１と金属製の支持杆２はそれぞれ一つを示す。受板部材３の中央部の前後及び左右には連結孔としてのメネジ孔４（４ａ、４ｂ）が形成されている。これら４つの連結孔４をそれぞれ線で結ぶと「菱形形状」となる。
【００１９】
付言すると、前後の連結孔４ａ、４ａ同士と、左右の連結孔４ｂ、４ｂ同士をそれぞれ線で結ぶとプラス（＋）の形状と成る。また、前後の連結孔４ａ、４ａを結ぶ線は、左右の連結孔４ｂ、４ｂを結ぶ線よりも長い。
【００２０】
台座１は、手前部分の一部を切欠して示している。ここで、台座１の構成を説明すると、１ａは（底壁）底部、１ｂは周胴部（周壁）、１ｃは上部（上壁）である。底壁１ａは円板状に形成され、その内壁底面の中央部には窪み状の支持部５が設けられている。この支持部５を基準として、上壁１ｃの中央部には円形状の係入穴６が設けられている。本実施例では、この係入穴６はメネジ孔であり、該係入穴６は支持杆２の下端部側の被係止部８としてのオネジに螺合する。
【００２１】
台座１はその内部に係入穴６に連通する収納空間７を有する。したがって、台座１は上壁１ｃに係入穴６およびその内部に収納空間７を有する中空柱である。
台座１は受座の機能を有するものであればその形態は特に問わない。例えば球台、角柱、すい台等の外観形状であっても良い。本実施例では、その外観形状は、全体として短柱状の受座である。
【００２２】
図３は台座１の係入穴６に支持杆２の挿入下端部２ａを通す前の一部概略断面説明図、また、図４は台座１の係入穴６に支持杆２の挿入下端部２ａを通した後の一部概略断面説明図である。これらの図から明らかなように、所定長の支持杆２は、逆円錐状（本実施例）あるいはラッパ状の外周面を有する挿入下端部２ａと、この挿入下端部の上端周縁部に周設されかつ該挿入下端部２ａが台座１の収納空間７内に位置付けられた際に該台座１の係入穴６の内周縁に係止され得る被係合部分８と、この被係合部分よりも小径でありかつ挿入下端部２ａの尖鋭状先端部分が台座１の底壁１ａ内面の支持部５に支持された際に少なくとも前記係入穴６に位置する無ネジ部９と、上端部に工具用の係合部１０を有する上端部側のオネジ部１１をそれぞれ有する。
【００２３】
支持杆２の挿入下端部２ａの外周面はラッパ状（特開２０１０−４１６４１号公報の図１）であっても良い。付言すると、挿入下端部２ａの外周面を回転曲面形状に形成しても良い。
【００２４】
図３の状態から図４の状態にする場合、すなわち、支持杆２の逆円錐状の挿入下端部２ａを、係入穴６を介して台座１の収納空間７内に完全に差し込む場合には、工具を支持杆２の係合部（例えば角型係合穴）に差込み、矢印で示す方向へと回す。挿入下端部２ａが係入穴６を通過する際、挿入下端部２ａ側の被係合部分（オネジ部分）８は係入穴（メネジ孔）６に螺合しながら、該係入穴を通過する。
【００２５】
したがって、挿入下端部２ａが一旦内部空間７内に位置付けられると、支持杆２をそのまま台座１から抜き取ることができない。それは支持杆２を持ち上げると、支持杆２の被係合部分（オネジ部分）８が台座１の係入穴（メネジ孔）６の縁部（係止部分）に係止されるからである。このように、本実施例では、互いにバラバラの状態にある複数個の台座１と複数個の支持杆２は、それぞれ互いに回転可能に係合する。
【００２６】
図５は、図４の状態に於いて、支持杆２の上端部に受板部材３を連結する一部概略断面説明図である。台座１の内部空間７に挿入下端部２ａの全体が入り込んだ場合に於いて、支持杆２の無ネジ部９は係入穴６に遊嵌合状態に位置する。前述したように、本実施例では受板部材３の各連結孔４ａ、４ａ、４ｂ、４ｂに合計４本の支持杆２の上端部をそれぞれ前後・左右の線対称の位置に螺合させることができるが、その場合図５で示すように、上端部の螺合部１１をメネジ孔４ａ（４ｂ）に嵌め合わせながら、六角レンチ、ドライバー等の工具Ｚの先を係合穴１０に差し込み、該工具Ｚを矢印で示す方向へと回すと、支持杆２は支持部５に支持された状態で自由に回転することができるので、受板部材３は支持杆２の回転量に対応して相対的に下方へと位置変位する。
【００２７】
図６は受板部材３の裏面に合計４本の支持杆２を一体的に配設した底面視からの説明図である。この図６を基準にすると、合計４本の支持杆２は、ボックス状の音響機器Ｙの底面中央部の前後及び左右を支持することができるように受板部材３の４つのメネジ孔４ａ、４ａ、４ｂ、４ｂにそれぞれ螺着している。図７は使用態様の一例を示す概略説明図で、受板部材３の上面に音響機器Ｙが直接載っている状態である。
【００２８】
なお、受板部材３と計４本の支持杆２との位置関係は本実施例が望ましいが、必ずしも該本実施例に限定するものではない。受板部材３は、少なくとも３つ以上のメネジ孔４を有し、これらのメネジ孔４に各支持杆２の上端部が螺合しても良い。また、公知事項ではあるが、台座１の内部空間７に液体、流動体、半流動体、粉状体、砂状体、粒状体等の振動吸収物質を収納しても良い。
【実施例】
【００２９】
この欄では、本実施例の射程距離に含まれると考えられる他の実施例について説明する。なお、第１実施例と同一の部分には同一又は同様の符号を付して重複説明を割愛する。
【００３０】
図８は本発明の第２実施例を示す説明図、図１０至図１３は本発明の第３実施例を示す各説明図、図１４至図１６は本発明の第４実施例を示す各説明図、そして、図１７至図１９は本発明の第５実施例を示す各説明図である。
【００３１】
まず、第２実施例に於いて、前記第１実施例と主に異なる点は、受板部材３Ａである。この受板部材３Ａは図９で示すように、音響機器Ｙを受板本体の上方に位置する載置板を介して間接的に支持することができる。
【００３２】
しかして、音響機器用支持具Ｘ２の該受板部材３Ａは、その裏面中央部の前後と左右にそれぞれ垂設状態に配設された合計４の支持杆２を有する受板本体３と、この受板本体３の上壁に固定された単数（本実施例）又は複数本の支持柱１５と、この支持柱の上端に固定されたボックス状の音響機器用載置板１６とから成る。前記音響機器用載置板１６の形状や大きさは、望ましくは受板本体３と同様の形態である。
【００３３】
このように構成しても、受板部材３Ａの構成が変わるだけに過ぎないから、音響機器用支持具Ｘ２は菱形状に配設された合計４つの台座１と各台座にそれぞれ一体的に係合した４つの支持杆２により、ボックス状の音響機器Ｙの底面中央部の前後及び左右を支持することができる。
【００３４】
次に、図１０は第３実施例の全体の説明図である。この第３実施例の音響機器用支持具Ｘ３に於いて、前記第１実施例と主に異なる点は、支持杆２Ａの挿入下端部２ａ、台座１Ａの上壁１ｃの構成及び係入穴６Ａである。第１実施例の台座の係入穴はメネジ孔であるが、この第３実施例の係入穴６Ａは弾性変位及び弾性復帰する蓋体２１の貫通係合孔６Ａである点が相違する。
【００３５】
しかして、支持杆２Ａの挿入下端部２ａの被係合部分８Ａは無ネジの鍔状である。また台座１Ａは、台座本体２０と、該台座本体の上面に周設された凹所２０ａに固定的に嵌合する弾性蓋体、例えば硬質のゴム材で出来た蓋体２１とから成り、前記蓋体２１の中央部に貫通係合孔６Ａが形成されている。特に図示しないが、蓋体２１には、貫通係合孔６Ａの縁部から半径外方向に単数又は複数本のスリットが形成されている。
【００３６】
上記構成に於いて、図１１は台座１Ａの貫通係合孔６Ａに支持杆２Ａの挿入下端部２ａを通す直前の説明図である。また図１２は、蓋体２１の貫通係合孔６Ａが弾性変位した状態の説明図である。さらに、図１３は台座１Ａの貫通係合孔６Ａに支持杆２Ａの挿入下端部２ａを通した後の説明図である。
【００３７】
このように、支持杆２Ａの挿入下端部２ａの被係合部分８Ａと台座１Ａの係入穴６Ａとの係合構成を設計変更しても、本発明の本質的事項に影響を与えない。
【００３８】
さらに、第４実施例の音響機器用支持具Ｘ４は、支持杆２Ｂを下端部側と上端部側に「ニ物品」に分割し、台座１Ｂに支持杆２Ｂを係合させる際に、下端部側と上端部側を一体的に係合した上で、貫通孔６Ｂを有する蓋板３１を台座本体３０の上面に固定手段３２（例えば固着具３２ａのオネジ３２ｂ）を介して固定した点が第１実施例と主に異なる。
【００３９】
しかして、支持杆２Ｂは、台座１Ｂの底壁内面の中央支持部に支持される挿入下端部２ａと、この挿入下端部に連設する無ネジ部９にさらに連設するオネジ部２８と、このオネジ部に螺合する上方の螺合杆２９とから成る。
【００４０】
このように、支持杆２Ｂを下端部側と上端部側に「ニ物品」に分割しても、本発明の本質的事項に影響を与えない。
【００４１】
加えて、第５実施例の音響機器用支持具Ｘ５は、第１実施例の音響機器用支持具Ｘを前提として、さらに、合計４本の第２の支持杆３５を螺着した点である。付言すると、第５実施例は第１実施例の音響機器用支持具Ｘに第２の支持杆３５を加味した実施形態である。
【００４２】
すなわち、この第５実施例では、受板部材３Ｂの四隅に第２のメネジ３４をそれぞれ形成し、これらの第２のメネジ３４に第２の支持杆３５の上端螺合部（オネジ）を螺合自在に取り付けることができるように構成している。
【００４３】
図１７では、「四点支持態様」で使用する際、受板部材３Ｂの中央部に位置する支持杆２の左右に第２の支持杆３５を螺着し、音響機器用支持具Ｘ５をさらに安定した状態で使用する。もちろん、本発明は「三点支持態様」での使用も可能であるから、そのような場合には、第２の支持杆３５は合計２本用いれば十分である。
【産業上の利用可能性】
【００４４】
本発明は音響機器を製造・販売、展示、使用する場で利用される。
【符号の説明】
【００４５】
Ｘ、Ｘ１、Ｘ２、Ｘ３、Ｘ４、Ｘ５…音響機器用支持具、Ｙ…音響機器、１Ａ、１Ｂ…台座、Ｚ…工具、１ａ…底壁、１ｂ…周壁、１ｃ…上壁、２、２Ａ、２Ｂ…支持杆、２ａ…挿入下端部、３、３Ａ、３Ｂ…受板部材、４（４ａ、４ｂ）…連結孔、５…支持部、７…収納空間、６、６Ａ…係入穴、８…被係止部分、９…無ネジ部、１０…係合部（係合穴）、１１…上端部の螺合部、１５…支持柱、１６…音響機器用載置板、２９…上方の螺合杆、２０、３０…台座本体、２１、３１…蓋体、３２…固定手段、３５…第２の支持杆。
【図１】
0005560125.tif 000002
【図２】
0005560125.tif 000003
【図３】
0005560125.tif 000004
【図４】
0005560125.tif 000005
【図５】
0005560125.tif 000006
【図６】
0005560125.tif 000007
【図７】
0005560125.tif 000008
【図８】
0005560125.tif 000009
【図９】
0005560125.tif 000010
【図１０】
0005560125.tif 000011
【図１１】
0005560125.tif 000012
【図１２】
0005560125.tif 000013
【図１３】
0005560125.tif 000014
【図１４】
0005560125.tif 000015
【図１５】
0005560125.tif 000016
【図１６】
0005560125.tif 000017
【図１７】
0005560125.tif 000018
【図１８】
0005560125.tif 000019
【図１９】
0005560125.tif 000020